【手続補正書】
【提出日】平成15年8月6日(2003.8.6)
【手続補正１】
【補正対象書類名】明細書
【補正対象項目名】特許請求の範囲
【補正方法】変更
【補正の内容】
【特許請求の範囲】
【請求項１】
それぞれ視聴者による操作が可能な複数のコンテンツ再生装置と、広告コンテンツを伴う番組コンテンツを前記複数のコンテンツ再生装置のすべてに一斉配信する放送局と、前記放送局とは別のルートでその露出依頼を受け付けた広告コンテンツを前記複数のコンテンツ再生装置の一部又はすべてに配信する広告配信手段と、個々の視聴者に与えるインセンティブデータの価値を決定するインセンティブ決定手段とを含んで構成されるシステムにおいて実行される方法であって；
前記コンテンツ再生装置が、前記放送局及び前記広告配信手段から受信した番組コンテンツ及び広告コンテンツをそれぞれ独立に再生可能な形態で蓄積しておき、蓄積されているコンテンツのうち視聴者により選択された番組コンテンツ、広告コンテンツ又はこれらの組合せを視聴者により指定された順序とタイミングで再生するための編成情報を生成し、この編成情報に従い、該当するコンテンツを読み出して再生するとともに、広告コンテンツの再生時の露出態様の指示と、視聴者が選択した広告コンテンツに対する未視聴とを含む接触行動を検出し、検出した接触行動の履歴データを蓄積する段階と；
前記インセンティブ決定手段が、蓄積されている履歴データから当該視聴者による広告コンテンツに対する接触行動を特定し、特定した接触行動に応じたインセンティブデータの価値を決定する段階と；
を有することを特徴とする、コンテンツの再生管理方法。
【請求項２】
前記検出の対象となる接触行動は、広告コンテンツに対する視聴者の能動的な接触行動であり、前記インセンティブ決定手段は、予定される接触行動毎に、インセンティブの基準ポイントとこの基準ポイントを増減させるための調整用ポイントとを決定しておき、この基準ポイントと調整用ポイントとの合算により前記価値を決定することを特徴とする、
請求項１記載の再生管理方法。
【請求項３】
前記番組コンテンツ及び広告コンテンツが、それぞれコンテンツ本体とそのメタデータとで構成されており、各々のメタデータが、番組コンテンツ又は他の広告コンテンツとの関係及びその露出態様が事後的に特定可能になるデータ構造を有することを特徴とする、
請求項１記載の再生管理方法。
【請求項４】
前記広告配信手段が、広告コンテンツを前記放送局の放送時間以外の時間帯に配信することを特徴とする、
請求項１記載の再生管理方法。
【請求項５】
前記広告配信手段又は前記放送局が、前記広告コンテンツのメタデータに当該広告コンテンツの有効期間を挿入して配信し、
前記コンテンツ再生装置は、蓄積されているすべての広告コンテンツのメタデータに含まれる前記有効期間と現在時刻又は再生予定時刻とを比較することにより当該有効期間を経過している広告コンテンツが存在するかどうかを調べ、存在する場合には当該広告コンテンツを除去することを特徴とする、
請求項３記載の再生管理方法。
【請求項６】
前記広告配信手段又は前記コンテンツ再生装置が、所定期間中における前記接触行動の履歴データに基づいて当該視聴者の嗜好を推定し、推定結果に応じて将来の当該視聴者用の広告コンテンツの再生態様を定める情報を生成することを特徴とする、
請求項１記載の再生管理方法。
【請求項７】
前記インセンティブ決定手段は、前記インセンティブデータを視聴者毎に蓄積しておき、蓄積されたインセンティブデータの価値が所定価値に達したときに、前記コンテンツ再生装置に、広告コンテンツが表示されない番組コンテンツを再生させることを特徴とする、
請求項１記載の再生管理方法。
【請求項８】
放送局から一斉配信された広告コンテンツを伴う番組コンテンツと、所定の広告配信手段から配信された広告コンテンツとを受信するとともに、個々の視聴者に与えるインセンティブデータの価値を決定するインセンティブ決定手段との間で双方向の通信を行う通信手段と；
前記放送局及び前記広告配信手段から受信したコンテンツをそれぞれ独立に再生可能な形態で蓄積するコンテンツ蓄積手段と；
このコンテンツ蓄積手段に蓄積されているコンテンツのうち視聴者により選択された番組コンテンツ、広告コンテンツ又はこれらの組合せを視聴者により指定された順序とタイミングで再生するための編成情報を生成する編成情報生成手段と；
この編成情報生成手段で生成された編成情報に従い、前記コンテンツ蓄積手段より該当するコンテンツを読み出して再生する再生手段と；
広告コンテンツの再生時の露出態様の指示と、視聴者が選択した広告コンテンツに対する未視聴とを含む接触行動を検出し、検出した接触行動の履歴データを履歴データ蓄積手段に蓄積する接触行動検出手段とを備え；
前記履歴データ蓄積手段に蓄積されている履歴データを前記通信手段を通じて前記インセンティブ決定手段に送出し、当該視聴者による広告コンテンツに対する接触行動に応じたインセンティブデータの価値を決定させることを特徴とする、
蓄積型のコンテンツ再生装置。
【請求項９】
前記再生手段は、オンタイムで番組コンテンツと広告コンテンツとが再生されるオンタイム視聴環境、蓄積された番組コンテンツと広告コンテンツとが任意の時点で再生されるストレージ視聴環境、時間を多少ずらしてコンテンツを見るタイムシフト視聴環境、広告コンテンツのみを集中的に再生する広告単独視聴環境、リクエストに応じて選択された番組コンテンツを再生するときに広告コンテンツが再生されるオンデマンド視聴環境のいずれかの環境を構築可能なものであり、
前記ストレージ視聴環境、前記タイムシフト視聴環境、前記広告単独視聴環境及び前記オンデマンド視聴環境には、視聴予約の機能が付随しており、
前記ストレージ視聴環境及び前記タイムシフト視聴環境には、各々再生領域のサイズ調整が可能な番組コンテンツと広告コンテンツの同時再生機能が付随していることを特徴とする、
請求項８記載のコンテンツ再生装置。
【請求項１０】
番組コンテンツ再生時の広告コンテンツの再生態様を視聴者に選択させ、選択された広告コンテンツの再生態様を前記生成された編成情報に基づいて決定する再生態様決定手段、をさらに備えたことを特徴とする、
請求項８記載のコンテンツ再生装置。
【請求項１１】
広告コンテンツの割込指示を受け付ける割込受付手段と、
再生中の番組コンテンツの表示を中断してそのときの番組再生進捗情報を所定の記録領域に一時的に保存するとともに、割込指示された広告コンテンツを再生させ、当該広告コンテンツの再生が終了した時点で前記保存してある番組再生進捗情報に基づいて前記番組コンテンツの継続表示開始時刻を決定する割込実行手段と、をさらに備えたことを特徴とする、
請求項８記載のコンテンツ再生装置。
【請求項１２】
広告コンテンツの再生スキップの指示を受け付けるスキップ指示受付手段を備えており、
前記接触行動検出手段は、再生スキップの指示を受け付けた広告コンテンツの識別情報及びスキップ日時を前記履歴データとして前記履歴データ蓄積手段に蓄積することを特徴とする、
請求項８記載のコンテンツ再生装置。
【請求項１３】
個々の番組コンテンツ及び広告コンテンツは、それぞれコンテンツ本体とそのメタデータとで形成されるものであり、
各々のメタデータは、他のコンテンツとの関係及びその再生時期を事後的に特定可能な構造であることを特徴とする、
請求項８〜１２のいずれかの項記載のコンテンツ再生装置。
【請求項１４】
広告コンテンツのメタデータには当該広告コンテンツの有効期間が挿入されており、
前記再生手段は、前記有効期間と現在時刻又は再生予定時刻とを比較することにより、当該有効期間を経過している広告コンテンツが存在するかどうかを調べ、存在する場合には当該広告コンテンツについては、当該広告コンテンツの再生を阻止するように構成されていることを特徴とする、
請求項１３記載のコンテンツ再生装置。
【請求項１５】
請求項８ないし１４のいずれかの項に記載されたコンテンツ再生装置に接続される広告コンテンツ管理システムであって；
広告コンテンツの露出依頼を受け付ける広告受付手段と；
受け付けた広告コンテンツを所定の時間帯に前記コンテンツ再生装置へ配付するコンテンツ配付手段と；
前記コンテンツ再生装置を保有する視聴者の個人情報を保持する視聴者情報管理手段と；
前記コンテンツ再生装置から受領した接触行動の履歴データと前記視聴者情報管理手段に保持されている個人情報とに基づいて広告コンテンツに対する接触行動の態様に応じたインセンティブを決定し、それにより得られたインセンティブデータを当該視聴者用に出力するインセンティブデータ出力機構と；
このインセンティブデータ出力機構から出力された視聴者毎のインセンティブデータを蓄積するインセンティブデータ蓄積手段と；を備えたことを特徴とする、
広告コンテンツ管理システム。
【請求項１６】
提供対象となる広告コンテンツをコンテンツ本体とその内容を表すメタデータとで形成し、メタデータには当該広告コンテンツの露出を有効ならしめるための有効期間を挿入するコンテンツ編集手段をさらに備えたことを特徴とする、
請求項１５記載の広告コンテンツ管理システム。
【請求項１７】
それを視聴するためには所定価値の前記インセンティブデータによって取得可能なキー情報を必要とする有料番組コンテンツの視聴要求の受領を契機に、前記インセンティブデータ蓄積手段に蓄積されている要求元の視聴者のインセンティブデータが、前記キー情報を取得するに足る価値かどうかを判別するインセンティブデータ管理手段と、
判別の結果、前記キー情報の取得が可能な場合に、当該キー情報を保有する所定のキーセンターからそのキー情報を代行取得し、取得したキー情報を前記要求元に転送するキー情報管理手段とをさらに備えたことを特徴とする、
請求項１５記載の広告コンテンツ管理システム。
【請求項１８】
前記インセンティブデータ出力機構は、広告コンテンツが視聴された時期及び視聴の態様に応じて異なる価値となるようにインセンティブを決定するように構成されていることを特徴とする、
請求項１５記載の広告コンテンツ管理システム。
【請求項１９】
前記インセンティブの価値が広告コンテンツを視聴することにより与えられる第１ポイントと、その広告コンテンツへの接触行動に応じて増減する第２ポイントとの組合せにより決定されることを特徴とする、
請求項１８記載の広告コンテンツ管理システム。
【請求項２０】
コンピュータに、放送局から一斉配信された広告コンテンツを伴う番組コンテンツと、所定の広告配信手段から配信された広告コンテンツとを受信するとともに、個々の視聴者に与えるインセンティブデータの価値を決定するインセンティブ決定手段との間で双方向の通信を行う通信手段と；
前記放送局及び前記広告配信手段から受信したコンテンツをそれぞれ独立に再生可能な形態で蓄積するコンテンツ蓄積手段と；
このコンテンツ蓄積手段に蓄積されているコンテンツのうち視聴者により選択された番組コンテンツ、広告コンテンツ又はこれらの組合せを視聴者により指定された順序とタイミングで再生するための編成情報を生成する編成情報生成手段と；
この編成情報生成手段で生成された編成情報に従い、前記コンテンツ蓄積手段より該当するコンテンツを読み出して再生する再生手段と；
広告コンテンツの再生時の露出態様の指示と、視聴者が選択した広告コンテンツに対する未視聴とを含む接触行動を検出し、検出した接触行動の履歴データを履歴データ蓄積手段に蓄積する接触行動検出手段とを形成し；
前記履歴データ蓄積手段に蓄積されている履歴データを前記通信手段を通じて前記インセンティブ決定手段に送出し、当該視聴者による広告コンテンツに対する接触行動に応じたインセンティブデータの価値を決定させるためのコンピュータプログラム。
【請求項２１】
請求項８ないし１４のいずれかの項に記載されたコンテンツ再生装置に接続されるコンピュータに、
広告コンテンツの露出依頼を受け付ける広告受付手段と、
受け付けた広告コンテンツを所定の時間帯に前記コンテンツ再生装置へ配付するコンテンツ配付手段と、
前記コンテンツ再生装置を保有する視聴者の個人情報を保持する視聴者情報管理手段と、
前記コンテンツ再生装置から受領した接触行動の履歴に基づいて広告コンテンツに対する接触行動の態様に応じたインセンティブを決定し、それにより得られたインセンティブデータを当該視聴者用に出力するインセンティブデータ出力機構と、
このインセンティブデータ出力機構から出力された視聴者毎のインセンティブデータを蓄積するインセンティブデータ蓄積手段とを形成するためのコンピュータプログラム。
【手続補正２】
【補正対象書類名】明細書
【補正対象項目名】０００６
【補正方法】変更
【補正の内容】
【０００６】
【課題を解決するための手段】
上記の課題を解決するため、本発明は、それぞれ視聴者による操作が可能な複数のコンテンツ再生装置と、広告コンテンツを伴う番組コンテンツを前記複数のコンテンツ再生装置のすべてに一斉配信する放送局と、前記放送局とは別のルートでその露出依頼を受け付けた広告コンテンツを前記複数のコンテンツ再生装置の一部又はすべてに配信する広告配信手段と、個々の視聴者に与えるインセンティブデータの価値を決定するインセンティブ決定手段とを含んで構成されるシステムにおいて実行される方法であって；前記コンテンツ再生装置が、前記放送局及び前記広告配信手段から受信した番組コンテンツ及び広告コンテンツをそれぞれ独立に再生可能な形態で蓄積しておき、蓄積されているコンテンツのうち視聴者により選択された番組コンテンツ、広告コンテンツ又はこれらの組合せを視聴者により指定された順序とタイミングで再生するための編成情報を生成し、この編成情報に従い、該当するコンテンツを読み出して再生するとともに、広告コンテンツの再生時の露出態様の指示と、視聴者が選択した広告コンテンツに対する未視聴とを含む接触行動を検出し、検出した接触行動の履歴データを蓄積する段階と；前記インセンティブ決定手段が、蓄積されている履歴データから当該視聴者による広告コンテンツに対する接触行動を特定し、特定した接触行動に応じたインセンティブデータの価値を決定する段階と；を有することを特徴とする、コンテンツ再生管理方法を提供する。
検出対象となる「接触行動」は、視聴者１人１人のコンテンツ（デジタルコンテンツ）に対する接触の仕方であり、例えばデジタルコンテンツが番組コンテンツと広告コンテンツである場合、番組予約をした、広告コンテンツを後で視聴するように予約した、広告コンテンツを実際に視聴した、広告コンテンツをスキップした、広告コンテンツを検索した、広告内容の詳細情報を取得した、などの視聴者の能動的な接触行動である。
前記インセンティブ決定手段は、予定される接触行動毎に、インセンティブの基準ポイントとこの基準ポイントを増減させるための調整用ポイントとを決定しておき、この基準ポイントと調整用ポイントとの合算により前記価値を決定する。


【手続補正３】
【補正対象書類名】明細書
【補正対象項目名】０００７
【補正方法】変更
【補正の内容】
【０００７】
デジタルコンテンツを、それらの再生時期が視聴者によって編成可能で、それぞれ独立に再生可能な番組コンテンツ及び広告コンテンツとし、インセンティブは広告コンテンツへの接触行動の履歴データに基づいて決定することで、視聴者による広告コンテンツの再生のモチベーションを高めることができる。
好ましくは、番組コンテンツ及び広告コンテンツを、それぞれコンテンツ本体とそのメタデータとで形成し、各々のメタデータの構造を、番組コンテンツ又は他の広告コンテンツとの関係及びその露出態様（時期、再生の仕方等）が事後的に特定可能になる構造にする。このようにすることで、例えば、番組メタデータと広告メタデータとの突け合せにより、どの番組コンテンツで、どの広告接触の場で、どの広告主の広告コンテンツがどのような形態で露出した（再生されて視聴可能な状態になった）かを、事後的に把握できるようになり、インセンティブを決定する際に、便利となる。「メタデータ」は、「ｄａｔａ  ａｂｏｕｔ  ｄａｔａ」とも呼ばれ、コンテンツが何であるかを説明する情報である。


【手続補正４】
【補正対象書類名】明細書
【補正対象項目名】０００８
【補正方法】変更
【補正の内容】
【０００８】
広告配信手段又はコンテンツ再生装置が、所定期間中における前記接触行動の履歴データに基づいて当該視聴者の嗜好を推定し、推定結果に応じて将来の当該視聴者用の広告コンテンツの再生態様を定める情報を生成するようにしてもよい。このようにすれば、その視聴者に対する広告効果が高まることが期待される。
なお、インセンティブ決定手段が、インセンティブデータを視聴者毎に蓄積しておき、蓄積されたインセンティブデータの価値が所定価値に達したときに、コンテンツ再生装置に、広告コンテンツが表示されない番組コンテンツを再生させることようにしてもよい。
【手続補正５】
【補正対象書類名】明細書
【補正対象項目名】０００９
【補正方法】変更
【補正の内容】
【０００９】
本発明は、また、上記の再生管理方法の実施に使用される蓄積型のコンテンツ再生装置を提供する。
このコンテンツ再生装置は、放送局から一斉配信された広告コンテンツを伴う番組コンテンツと、所定の広告配信手段から配信された広告コンテンツとを受信するとともに、個々の視聴者に与えるインセンティブデータの価値を決定するインセンティブ決定手段との間で双方向の通信を行う通信手段と；前記放送局及び前記広告配信手段から受信したコンテンツをそれぞれ独立に再生可能な形態で蓄積するコンテンツ蓄積手段と；このコンテンツ蓄積手段に蓄積されているコンテンツのうち視聴者により選択された番組コンテンツ、広告コンテンツ又はこれらの組合せを視聴者により指定された順序とタイミングで再生するための編成情報を生成する編成情報生成手段と；この編成情報生成手段で生成された編成情報に従い、前記コンテンツ蓄積手段より該当するコンテンツを読み出して再生する再生手段と；広告コンテンツの再生時の露出態様の指示と、視聴者が選択した広告コンテンツに対する未視聴とを含む接触行動を検出し、検出した接触行動の履歴データを履歴データ蓄積手段に蓄積する接触行動検出手段とを備え；前記履歴データ蓄積手段に蓄積されている履歴データを前記通信手段を通じて前記インセンティブ決定手段に送出し、当該視聴者による広告コンテンツに対する接触行動に応じたインセンティブデータの価値を決定させるようにしたものである。


【手続補正６】
【補正対象書類名】明細書
【補正対象項目名】００１０
【補正方法】変更
【補正の内容】
【００１０】
前記再生手段は、例えば、オンタイムで番組コンテンツと広告コンテンツとが再生されるオンタイム視聴環境、蓄積された番組コンテンツと広告コンテンツとが任意の時点で再生されるストレージ視聴環境、時間を多少ずらしてコンテンツを見るタイムシフト視聴環境、広告コンテンツのみを集中的に再生する広告単独視聴環境、リクエストに応じて選択された番組コンテンツを再生するときに広告コンテンツが再生されるオンデマンド視聴環境のいずれかの環境を構築可能なものであり、前記ストレージ視聴環境、前記タイムシフト視聴環境、前記広告単独視聴環境及び前記オンデマンド視聴環境には、視聴予約の機能が付随しており、前記ストレージ視聴環境及び前記タイムシフト視聴環境には各々再生領域のサイズ調整が可能な番組コンテンツと広告コンテンツの同時再生機能が付随している。
「広告単独視聴環境」は、番組コンテンツ視聴の結果として広告コンテンツを視聴するというスタイルでなく、視聴者が自分にとって有益だと思う広告コンテンツを能動的に視聴するための環境である。
なお、広告単独視聴環境には、単なるコンテンツ本体だけでなく、より詳しい商品の特徴・機能、販売店情報、アフターケア情報などといった詳細情報を能動的に取得する環境も含まれる。


【手続補正７】
【補正対象書類名】明細書
【補正対象項目名】００１１
【補正方法】変更
【補正の内容】
【００１１】
広告コンテンツを視聴者の都合のよい時間帯で視聴できるようしてもよい。この場合は、番組コンテンツ再生時の広告コンテンツの再生態様を視聴者に選択させ、選択された広告コンテンツの再生態様を前記生成された編成情報に基づいて決定する再生態様決定手段をさらに備えてコンテンツ再生装置を構成する。


【手続補正８】
【補正対象書類名】明細書
【補正対象項目名】００１３
【補正方法】変更
【補正の内容】
【００１３】
広告コンテンツの再生スキップの指示を受け付けるスキップ指示受付手段を備えるようにしてもよい。この場合、前記接触行動検出手段は、再生スキップの指示を受け付けた広告コンテンツの識別情報及びスキップ日時を前記履歴データとして前記履歴データ蓄積手段に蓄積する。スキップされた広告コンテンツを後で視聴できるのが、蓄積型コンテンツ再生装置の一つの利点である。


【手続補正９】
【補正対象書類名】明細書
【補正対象項目名】００１４
【補正方法】変更
【補正の内容】
【００１４】
個々の番組コンテンツ及び広告コンテンツは、それぞれコンテンツ本体とそのメタデータとで形成される。各々のメタデータは、他のコンテンツとの関係及びその再生時期を特定可能となる構造である。各コンテンツをこのような構造にすると、コンテンツ管理が容易になる利点が生じる。
広告コンテンツのメタデータには当該広告コンテンツの有効期間が挿入されるようにする。そして、前記再生手段が、有効期間と現在時刻又は再生予定時刻とを比較することにより、当該有効期間を経過している広告コンテンツが存在するかどうかを調べ、存在する場合には当該広告コンテンツについては、当該広告コンテンツの再生を阻止するように構成する。このようにすれば、無意味な広告コンテンツが露出されることがなく、広告効果の低下を抑制することができる。


【手続補正１０】
【補正対象書類名】明細書
【補正対象項目名】００１５
【補正方法】変更
【補正の内容】
【００１５】
本発明は、また、上記の再生管理方法の実施に際し、広告配信手段及びインセンティブ決定手段として使用される広告コンテンツ管理システムを提供する。
この広告コンテンツ管理システムは、上記の蓄積型コンテンツ再生装置に接続されるもので、広告コンテンツの露出依頼を受け付ける広告受付手段と；受け付けた広告コンテンツを所定の時間帯に前記コンテンツ再生装置へ配付するコンテンツ配付手段と；前記コンテンツ再生装置を保有する視聴者の個人情報を保持する視聴者情報管理手段と；前記コンテンツ再生装置から受領した接触行動の履歴データに基づいて広告コンテンツに対する接触行動の態様に応じたインセンティブを決定し、それにより得られたインセンティブデータを当該視聴者用に出力するインセンティブデータ出力機構と；このインセンティブデータ出力機構から出力された視聴者毎のインセンティブデータを蓄積するインセンティブデータ蓄積手段と；を備えたものである。


【手続補正１１】
【補正対象書類名】明細書
【補正対象項目名】００１９
【補正方法】変更
【補正の内容】
【００１９】
本発明は、また、上述したコンテンツ再生装置をコンピュータにより実現するための第１のコンピュータプログラムと、上述した広告コンテンツ管理システムをコンピュータにより実現するための第２のコンピュータプログラムとを提供する。
第１のコンピュータプログラムは、コンピュータに、放送局から一斉配信された広告コンテンツを伴う番組コンテンツと、所定の広告配信手段から配信された広告コンテンツとを受信するとともに、個々の視聴者に与えるインセンティブデータの価値を決定するインセンティブ決定手段との間で双方向の通信を行う通信手段と；前記放送局及び前記広告配信手段から受信したコンテンツをそれぞれ独立に再生可能な形態で蓄積するコンテンツ蓄積手段と；このコンテンツ蓄積手段に蓄積されているコンテンツのうち視聴者により選択された番組コンテンツ、広告コンテンツ又はこれらの組合せを視聴者により指定された順序とタイミングで再生するための編成情報を生成する編成情報生成手段と；この編成情報生成手段で生成された編成情報に従い、前記コンテンツ蓄積手段より該当するコンテンツを読み出して再生する再生手段と；広告コンテンツの再生時の露出態様の指示と、視聴者が選択した広告コンテンツに対する未視聴とを含む接触行動を検出し、検出した接触行動の履歴データを履歴データ蓄積手段に蓄積する接触行動検出手段とを形成し；前記履歴データ蓄積手段に蓄積されている履歴データを前記通信手段を通じて前記インセンティブ決定手段に送出し、当該視聴者による広告コンテンツに対する接触行動に応じたインセンティブデータの価値を決定させるためのコンピュータプログラムである。
第２のコンピュータプログラムは、上述した本発明のコンテンツ再生装置に接続されるコンピュータに、広告コンテンツの露出依頼を受け付ける広告受付手段と；受け付けた広告コンテンツを所定の時間帯に前記コンテンツ再生装置へ配付するコンテンツ配付手段と；前記コンテンツ再生装置を保有する視聴者の個人情報を保持する視聴者情報管理手段と；前記コンテンツ再生装置から受領した接触行動の履歴に基づいて広告コンテンツに対する接触行動の態様に応じたインセンティブを決定し、それにより得られたインセンティブデータを当該視聴者用に出力するインセンティブデータ出力機構と；このインセンティブデータ出力機構から出力された視聴者毎のインセンティブデータを蓄積するインセンティブデータ蓄積手段とを形成するためのコンピュータプログラムである。


【手続補正１２】
【補正対象書類名】明細書
【補正対象項目名】００６２
【補正方法】変更
【補正の内容】
【００６２】
このように、この実施形態では、広告コンテンツに対する複数種類の接触の場をコンテンツ再生装置２上に形成し、視聴者による広告への接触行動を検出するとともに、検出した接触行動の履歴を視聴履歴蓄積部２７３及び未視聴履歴蓄積部２７４に蓄積しておき、これらの履歴に基づき、接触行動の態様に応じた接触行動ポイントを当該視聴者に付与するようにしたので、視聴者に対しては広告への接触に対するモチベーションを与えることができ、広告主には、これらの履歴を分析することによる広告露出の効果を正確に把握できるようになる利点が生じる。
特に、広告管理システム３で、放送局１とは別に広告露出を受け付ける機会を設けることにより、放送局１に広告露出を依頼することができない、比較的低資本の広告主に対しても、広告を利用する機会を与えることができる。